(57)【要約】【課題】  ネックレスを着けたまま宝飾片を取付可能とするとともに、取り付けた宝飾片が外れて紛失してしまうということが無い、機能性および宝飾性に優れた装身具を提供すること。【解決手段】  ネックレス用チェーンが取り付けられる台座と、この台座に取り付けおよび取外しが可能なリング状の宝飾片とからなる装身具において、台座はネックレス用チェーンが挿通される第一の挿通孔と第２の挿通孔が形成されたリング形状であり、第一の挿通孔と第２の挿通孔との間は宝飾片を挿入可能な間隙が形成される。第一の挿通孔と第２の挿通孔にネックレス用チェーンが挿通された状態で、宝飾片を前記第一の挿入孔から台座のリングに通して第２の挿入孔から取り出すことで、ネックレス用チェーンを付けたまま台座に宝飾片を取付可能とする。【選択図】      図３
2007014455.tif 000002
【特許請求の範囲】
【請求項１】
ネックレス用チェーンが取り付けられる台座と、この台座に取り付けおよび取外しが可能なリング状の宝飾片とからなる装身具において、
前記台座は前記ネックレス用チェーンが挿通される第一の挿通孔と第２の挿通孔が形成されたリング形状であり、
前記第一の挿通孔と第２の挿通孔との間は前記宝飾片を挿入可能な間隙が形成され、
前記第一の挿通孔と第２の挿通孔に前記ネックレス用チェーンが挿通された状態で、前記宝飾片を前記第一の挿入孔から前記台座のリングに通して前記第２の挿入孔から取り出すことで、前記ネックレス用チェーンを付けたまま前記台座に前記宝飾片を取付可能とすることを特徴とする装身具。
【請求項２】
請求項１に記載の装身具において、前記台座は円形のリング形状であることを特徴とする装身具。
【請求項３】
請求項１に記載の装身具において、前記台座は多角形のリング形状であることを特徴とする装身具。
【請求項４】
請求項１に記載の装身具において、前記宝飾片は円形のリング形状であり、指輪として利用できることを特徴とする装身具。
【請求項５】
請求項１に記載の装身具において、前記宝飾片は多角形のリング形状であり、指輪として利用できることを特徴とする装身具。
【請求項６】
ネックレスと、チェーンを介してこのネックレスの一端に取り付けられる台座と、このネックレスの他端に取り付けられ前記台座に取り付けおよび取外しが可能なリング状の継合部とからなる装身具において、
前記台座は前記チェーンが挿通される第一の挿通孔と第２の挿通孔が形成されたリング形状であり、
前記第一の挿通孔と第２の挿通孔との間は前記継合部を挿入可能な間隙が形成され、
前記第一の挿通孔と第２の挿通孔に前記チェーンが挿通された状態で、前記継合部を前記第一の挿入孔から前記台座のリングに通して前記第２の挿入孔から取り出すことで、前記台座に前記継合部を取付可能とすることを特徴とする装身具。
【請求項７】
請求項６に記載の装身具において、前記チェーンの長さは前記台座の挿通孔が形成されたチェーン取付部材の長さよりも２倍以上長いことを特徴と装身具。
【発明の詳細な説明】
【技術分野】
【０００１】
本発明は装身具、より具体的にはその時の気分によって手軽に宝飾片の取り付けや取り外しを行えるネックレス、およびその構造を利用した留め具に関する。
【背景技術】
【０００２】
ネックレスや指輪等の装身具はその日の気分や服装によって変えるものであり、近年、その身に付け方は個性的でかつバラエティに富んだものになっている。例えば宝飾片が取り付けられたネックレスの中には、宝飾片の種類を交換可能にすることで、多用途や気分によって使用者が自由に選択できるようにしたものもある。
【０００３】
また、この種の装身具の中には宝飾片そのものを指輪としても使用できるものも販売されている。すなわち、この種の装身具は宝飾片を取り付けなくても十分ネックレスとしての装飾性を備えており、その日の気分によって宝飾片を指輪として身に着けたり、宝飾片をネックレスに取り付けることで違った雰囲気になるようデザインされている。
【発明の開示】
【発明が解決しようとする課題】
【０００４】
しかしながら、従来、この種の装身具では、宝飾片となる指輪等を取り付ける際、ネックレスを一旦外さなければならず、外出先でちょっと気分を変えたい場合にその取り付けが面倒であるという問題があった。また、このような宝飾片を取付可能なネックレスでは取付が不十分で紛失してしまうという問題もあった。
【０００５】
本発明はこのような従来技術の課題を解決し、ネックレスを着けたまま宝飾片を取付可能とするとともに、取り付けた宝飾片が外れて紛失してしまうということが無い、機能性および宝飾性に優れた装身具を提供することを目的とする。
【課題を解決するための手段】
【０００６】
本発明は上記課題を解決するための手段として、請求項１に記載された発明は、ネックレス用チェーンが取り付けられる台座と、この台座に取り付けおよび取外しが可能なリング状の宝飾片とからなる装身具において、台座はネックレス用チェーンが挿通される第一の挿通孔と第２の挿通孔が形成されたリング形状であり、第一の挿通孔と第２の挿通孔との間は宝飾片を挿入可能な間隙が形成され、第一の挿通孔と第２の挿通孔にネックレス用チェーンが挿通された状態で、宝飾片を第一の挿入孔から台座のリングに通して第２の挿入孔から取り出すことで、ネックレス用チェーンを付けたまま台座に宝飾片を取付可能とする。また、請求項２に記載された発明は、台座は円形のリング形状である。また、請求項３に記載された発明は、台座は多角形のリング形状である。また、請求項４に記載されたはつめいは、宝飾片は円形のリング形状であり、指輪として利用できる。また、請求項５に記載された発明は、宝飾片は多角形のリング形状であり、指輪として利用できる。また、請求項６に記載された発明は、ネックレスと、チェーンを介してこのネックレスの一端に取り付けられる台座と、このネックレスの他端に取り付けられ前記台座に取り付けおよび取外しが可能なリング状の継合部とからなる装身具において、台座はチェーンが挿通される第一の挿通孔と第２の挿通孔が形成されたリング形状であり、第一の挿通孔と第２の挿通孔との間は継合部を挿入可能な間隙が形成され、第一の挿通孔と第２の挿通孔にチェーンが挿通された状態で、継合部を第一の挿入孔から台座のリングに通して第２の挿入孔から取り出すことで、台座に継合部を取付可能とする。また、請求項７に記載された発明は、チェーンの長さは台座の挿通孔が形成されたチェーン取付部材の長さよりも２倍以上長い。
【発明の効果】
【０００７】
ネックレスを着けたまま宝飾片が取り付けられるとともに、使用中に宝飾片が外れてしまうということがない。したがって、外出先でちょっと気分を変えたいときでも簡単に取り付けることができ、また、装着後に紛失してしまうということがない。また、宝飾片を指輪とすることでさらにバラエティに富んだ種々の利用形態ができ、装身具の付加価値を一層高めることが可能となる。さらに、本発明の構造をネックレスの留め具として応用すれば、簡単な構造で耐久性に優れた宝飾品の留め具を提供することが可能となる。
【発明を実施するための最良の形態】
【０００８】
次に添付図面を参照して本発明による装身具の実施の形態を詳細に説明する。図１は本発明による装身具の実施の形態を示す斜視図である。図１に示した装身具１は、宝飾片である指輪２０が台座１０に取り付けられたときのネックレスを示したものであり、台座１０にはネックレス用チェーン３０が挿通されている。
【０００９】
図２は台座１０から指輪２０を外したときの斜視図である。台座１０は、図２に示すように、上端に切り欠きのある円形プレートの形状であり、その材質は例えばプラチナ、金、銀、または銅等の貴金属である。すなわち、台座１０は上端に切り欠き１５が形成された円形プレート形状の本体１１と、この切り欠き１５を挟むように本体１１の上部左右に取り付けられたチェーン取付部材１２Ａ，１２Ｂにより形成されている。
【００１０】
チェーン取付部材１２Ａ，１２Ｂは、上部１４Ａ，１４Ｂにネックレス用チェーン３０を挿通するための挿通孔１６Ａ，１６Ｂが形成されているとともに下部はＬ字形に曲げ加工されている。このＬ字形に曲げられた底部１３Ａ，１３Ｂは、その先端が本体１１に溶接等により取り付けられるとともに、指輪２０が吊設されるよう指輪２０の幅とほぼ同じ幅になっている。
【００１１】
挿通孔１６Ａ，１６Ｂは上部１４Ａ，１４Ｂの先端を丸く曲げ加工してその先端を溶接することにより形成された楕円状の挿通孔である。チェーン取付部材１２Ａ，１２Ｂは切り欠き１５と同じ幅を隔てて本体１１に固着されている。この切り欠き１５の幅は、指輪２０が挿通可能なようにこれの幅や厚みよりも広くなっている。
【００１２】
指輪２０は円形のリングであり、その材質は例えばプラチナ、金、銀、または銅等の貴金属である。指輪２０の特徴としては、特に図示はしていないが指輪としての機能とペンダントとしての機能とを兼ね備えている。すなわち、その外周２２および正面２４には、例えばレースのような金細工や、ダイヤ、ルビーまたはエメラルドのような宝石が取り付けられている。なお、指輪２０の内径の直径は台座１０の外径の直径よりも短くなっている。したがって、指輪２０を台座１０に取り付けているときに指輪２０が外れて紛失するということはない。
【００１３】
挿通孔１６Ａ，１６Ｂに挿通されるネックレス用チェーン３０は、例えばプラチナ、金、銀、または銅等の貴金属でできており、台座１０に指輪２０を取り付ける際にその操作が簡単にできるよう細紐状の編み方で形成されている。ネックレス用チェーン３０は、一端に引き輪３２が他端にプレート３４が取り付けられており、これら引き輪３２とプレート３４によりネックレスの装着や取外しができるようになっている。
【００１４】
図３は台座１０に指輪２０を取り付けるときの手順を図示した説明図である。図３（ａ）に示すように、ネックレス用チェーン３０を身に着けた状態で、指輪２０を例えばチェーン取付部材１２Ｂの上から矢印Ｙ１の方向で切り欠き１５に挿入する。さらに、図３（ｂ）に示すように、矢印Ｙ２の方向に指輪２０を動かし、ネックレス用チェーン３０とともに台座１０の内部空間１８に押し込む。
【００１５】
指輪２０を挿入したら、図３（ｃ）に示すように指輪２０を矢印Ｙ３の時計方向に回転してチェーン取付部材１２Ａ側に移動し、そのまま切り欠き１５を通して持ち上げる。図３（ｄ）に示すように、指輪２０を矢印Ｙ４方向にそのまま持ち上げてチェーン取付部材１２より上になると、指輪２０の挿入孔２８にはネックレス用チェーン３０が挿通された状態になる。
【００１６】
次に、図３（ｅ）に示すように、指輪２０を矢印Ｙ５の下向きに移動して底部１３Ａ，１３Ｂに係止する。そして、図３（ｆ）に示すように、指輪２０をそのまま矢印Ｙ６の方向に回転することで取り付けが完了する。
なお、図３では指輪２０の取付手順を説明したが、取り外す場合はその逆の操作をすればよい。また、図３ではチェーン取付部１２Ｂから挿入してチェーン取付部１２Ａから出したが、その逆であっても同様の結果になる。
【００１７】
図４は本発明による装身具の他の実施の形態を示した斜視図である。この実施の形態の装身具２では台座４０と指輪５０の外形を８角形にしたものであり、それ以外は装身具１と同様である。このように台座や指輪の外形は円形の他に多角形であってもよい。
【００１８】
以上の如く、本発明の実施の形態を図面を用いて説明したが、本発明は特にこれら実施の形態に限定されるものではなく、本発明の精神を逸脱しない種々の変形は本発明に含まれる。したがって、本実施の形態で説明した指輪２０を台座１０にネックレス用チェーンと着けたまま取り付けられる形状であれば、多少の形状の違い等があっても本発明の範疇である。また、本実施の形態では指輪２０は台座１０とペアとしたが、特にペアのものに限定されるものではなく、所持している指輪の内径の直径が台座１０の外径の直径よりも短かければ取付後に外れることはないので、その日の気分にあったお気に入りの指輪を台座１０に取り付けることで、種々のバラエティを楽しむこともできる。
【００１９】
図５および図６は、本実施の形態で説明したリング２０を台座１０に取り付ける取付構造をネックレスの留め具に応用したときの斜視図である。図５は取り付けたときの状態を、また図６は外したときの状態をそれぞれ示している。
【００２０】
ネックレス３は例えば複数の真珠６０が数珠繋ぎされたネックレスであり、その一端にはチェーン７０を介して台座８０が取り付けられ、他端には継合部９０が取り付けられている。台座８０は前述の台座１０と継合部９０は指輪２０と同様の形状であり、図３に示した取付手順にて取り付けおよび取り外しができる。なお、この実施の形態では台座８０および継合部９０は留め具としての機能であるため、台座２０および指輪２０に比べて小さく形成されているとともに宝飾性も余り必要が無い点が異なる。
【００２１】
チェーン６０は台座８０に形成されたチェーン取付部材８２に挿通されている。本実施の形態でも図３に示したような取り付けを可能とするため、チェーン取付部材８２の長さをｔとすると、チェーン７０の取り付けた状態での長さ（チェーン取付部材８２の挿通孔からネックレスの一端までの距離）は（２ｔ＋α）の長さになっている。また、前述の実施の形態と同様に（継合部９０の径）≦（台座９０の径）となっている。
【００２２】
図５および図６を用いて説明したように、本実施の形態の構造はネックレス等の留め具としても有効である。すなわち、非常にシンプルな構造なので生産コストが抑えられるとともに、耐久性に優れた留め具を提供することが可能となる。なお、ネックレス３では真珠のネックレスとしたが、勿論真珠に限定されるものではなく、宝石やその他の宝飾品によるネックレスであってもよい。
【図面の簡単な説明】
【００２３】
【図１】本発明による装身具の実施の形態であり、指輪を取り付けたときの斜視図である。
【図２】図１に示した装身具において、指輪を外したときの斜視図である。
【図３】図１に示した装身具の取付手順を示した説明図である。
【図４】本発明による装身具の他の実施の形態を示した斜視図である。
【図５】本発明による装身具の構造をネックレスの留め具として応用したときの継合状態を示した斜視図である。
【図６】本発明による装身具の構造をネックレスの留め具として応用したときの取り外した状態を示した斜視図である。
【符号の説明】
【００２４】
１，２         
装身具
３  ネックレス
１０、４０、８０  台座
１１  本体
１２Ａ，１２Ｂ，８２  チェーン取付部材
１３Ａ，１３Ｂ  底部
１４Ａ，１４Ｂ  上部
１６Ａ，１６Ｂ  挿通孔
２０  指輪
２２  外周
２４  正面
３０  ネックレス用チェーン
３２  引き輪
３４  プレート
６０  真珠
７０  チェーン
９０  継合部
【図１】
2007014455.tif 000003
【図２】
2007014455.tif 000004
【図３】
2007014455.tif 000005
【図４】
2007014455.tif 000006
【図５】
2007014455.tif 000007
【図６】
2007014455.tif 000008